(57)【要約】【課題】ロール紙の浮き上がりを確実に防止できるようにしたロール紙供給機構を提案すること。【解決手段】ロール紙プリンター１のロール紙供給機構３では、ロール紙収納部３１の一方の側面を規定するロール紙ガイド３３にロール紙２の円形端面を付勢する付勢部材４１が配置されている。付勢部材４１の付勢面４１ａは、ロール紙２から引き出される記録紙２ａの引き出し方向Ａに向かって内側に傾斜しており、ロール紙収納部３１の幅方向から見た場合に、ロール紙の重心Ｇを通る垂線Ｖと記録紙引き出し位置Ｄとの間に配置され、かつ、記録紙引き出し位置Ｄよりも上側のロール紙２の外周縁部分２ｄを付勢している。付勢面４１ａによってロール紙２の引き出し方向への浮き上がりが防止され、その付勢位置を中心としてロール紙２の浮き上がりを防止する方向にモーメントが作用するので、ロール紙２の浮き上がり、上下のガタツキが確実に防止される。【選択図】図２
2010202306.tif 000002
【特許請求の範囲】
【請求項１】
ロール紙を転動可能な状態で収納するロール紙収納部と、
前記ロール紙収納部に収納した前記ロール紙の左右の円形端面のうち、少なくとも一方
の前記円形端面を付勢する付勢面を備えた付勢部材とを有し、
前記付勢部材の前記付勢面は、前記ロール紙から引き出される記録紙の引き出し方向に
向かって前記ロール紙収納部の幅方向の内側に傾斜している傾斜面であり、
当該付勢面は、水平方向において、前記ロール紙の重心を通る垂線と前記ロール紙から
の記録紙引き出し位置との間に配置され、かつ、垂直方向において、前記記録紙引き出し
位置よりも上側の前記ロール紙の外周縁部分を付勢できるように配置されていることを特
徴とするロール紙供給機構。
【請求項２】
前記付勢部材として、前記ロール紙の左右の前記円形端面のそれぞれを付勢する左右の
付勢部材を備えており、
これらの付勢部材はほぼ同一形状をしており、ほぼ左右対称な位置に配置されているこ
とを特徴とする請求項１に記載のロール紙供給機構。
【請求項３】
前記ロール紙収納部に収納した前記ロール紙を、前記記録紙が繰り出される方向に回転
する繰り出しローラーを有し、
当該繰り出しローラーは、水平方向において、前記垂線を挟み、前記記録紙引き出し位
置とは反対側に位置する前記ロール紙の外周面部分に当接していることを特徴とする請求
項２に記載のロール紙供給機構。
【請求項４】
前記ロール紙収納部のロール紙収納幅を規定する一対のロール紙ガイドを有し、
前記付勢部材のそれぞれは、各ロール紙ガイドにおける前記幅方向の内側面から内側に
突出する状態に取り付けられていることを特徴とする請求項２または３に記載のロール紙
供給機構。
【請求項５】
請求項１ないし４のうちのいずれかの項に記載のロール紙供給機構を有していることを
特徴とするロール紙プリンター。
【発明の詳細な説明】
【技術分野】
【０００１】
本発明は、ロール紙収納部にロール紙を横置き状態で転動可能に収納し、ここから長尺
状の記録紙を繰り出してプリンターの印刷位置などに向けて供給するロール紙供給機構に
関する。更に詳しくは、ロール紙がロール紙収納部の底、あるいはロール紙収納部の底に
配置した繰り出しローラーから浮き上がることのないように構成したロール紙供給機構、
および当該ロール紙供給機構を備えたロール紙プリンターに関する。
【背景技術】
【０００２】
レシートなどを発行するロール紙プリンターでは、記録媒体として、長尺状の記録紙を
ロール状に巻き付けた構成のロール紙が用いられており、ロール紙から長尺状の記録紙を
繰り出して印刷位置に向けて搬送するロール紙供給機構としては、上側から横置き状態で
投入されたロール紙を転動可能に収納する、所謂、投げ込み式あるいはドロップイン方式
と呼ばれるロール紙収納部を備えたものが知られている。投げ込み式のロール紙収納部に
収納されたロール紙から繰り出される記録紙は、紙送りローラーおよび印刷位置を経由す
る搬送路に沿って記録紙排出口まで引き出された状態にセットされ、紙送りローラーによ
って記録紙が搬送されると、それに追従してロール紙がロール紙収納部内で転動して記録
紙が繰り出される。
【０００３】
記録紙が引き出される際にロール紙が左右にガタ付くと、記録紙の蛇行、紙送り負荷変
動の増大などの弊害が発生する。特に、ロール紙収納部のロール紙収納幅を規定している
左右のロール紙ガイドによってのみロール紙の幅方向の位置が規定され、印刷位置を経由
する搬送路においては記録紙の幅方向の位置がガイドされない場合には、ロール紙収納部
においてロール紙が左右にガタ付くことの無いように保持する必要がある。
【０００４】
そこで、従来においては、ロール紙の円形端面を弾性部材によって付勢して幅方向にガ
タ付くことの無いように保持している。また、小径になって重量が軽くなったロール紙が
弾性部材による弾性力によって浮き上がった状態のまま保持されることが無いように、ロ
ール径が大きい間は大きな弾性力でロール紙を付勢し、ロール径が小さくなると小さな弾
性力でロール紙を付勢するようにしている。特許文献１には、このような弾性部材を備え
たロール紙保持機構が開示されている。
【０００５】
一方、投げ込み式のロール紙収納部では、ロール紙の慣性負荷、ロール紙とロール紙収
納部の底面の間の摩擦力などに抗して、ロール紙を回転させて記録紙を繰り出す必要があ
る。紙送り速度を上げると、それに伴って紙送りローラーに作用する紙送り負荷も大きく
なり、紙送りに滑りが生じ、紙送り精度が低下するおそれがある。紙送り負荷を低減して
、正確な紙送りを行うために、特許文献２、３に開示されているように、ロール紙収納部
の底に、ロール紙を繰り出し方向に回転させるための繰り出しローラーを配置したロール
紙供給機構が提案されている。
【０００６】
特許文献２、３に開示の繰り出しローラーを備えたロール紙供給機構においても、ロー
ル紙収納部の幅は、ロール紙の幅に対するバラツキを見込んで、ロール紙の幅よりも僅か
に大きい幅に設定されているので、弾性部材によってロール紙を幅方向に付勢してガタ付
きを防止することが望ましい。この場合、ガタ付き防止用の弾性部材の付勢力によって、
ロール径が小さくなって軽くなったロール紙が底から浮き上がったままの状態に保持され
てしまうと、ロール紙が繰り出しローラーから離れてしまい、ロール紙を回転させて記録
紙を繰り出すことができなくなってしまう。
【０００７】
したがって、特許文献１に開示されているように、ロール径が大きい間は大きな弾性力
でロール紙を押さえ、ロール径が小さくなると小さな弾性力でロール紙を押える弾性部材
を取り付け、ロール径が小さくなった場合にロール紙が浮き上がったままの状態に保持さ
れることを防止することが望ましい。
【先行技術文献】
【特許文献】
【０００８】
【特許文献１】特開２００５−３０６５３５号公報
【特許文献２】特開２００７−２０３５６３号公報
【特許文献３】特開２００７−２０３５６４号公報
【発明の概要】
【発明が解決しようとする課題】
【０００９】
しかしながら、特許文献１に記載されているようにロール紙のロール径の減少に応じて
弾性部材の付勢力を小さくした場合においても、ロール紙の浮き上がりを確実に防止でき
ない場合がある。たとえば、紙送りローラーなどによってロール紙から繰り出される記録
紙を引っ張る力がロール紙を浮き上げる方向のモーメントとなってロール紙に作用すると
、ロール紙が簡単に浮き上がってしまう可能性が高い。ロール径が小さくなり軽くなった
ロール紙が小さな付勢力で付勢されている場合には簡単に浮き上がってしまう。このため
、弾性部材によるロール紙の付勢位置を適切に設定しておかないと、単に、付勢力の大き
さのみをロール径に応じて制御しても、ロール紙が底から浮き上がってしまうことを確実
に防止できない。
【００１０】
一方、繰り出しローラーを備えたロール紙供給機構では、ロール紙収納部に収納されて
いるロール紙には、繰り出しローラーによる繰り出し力が作用すると共に、ロール紙から
の記録紙引き出し位置にはプリンター側の紙送りローラーによる引張り力が作用する。し
たがって、ロール径が小さくなって軽くなるとロール紙が繰り出しローラーから浮き上が
り易くなり、弾性部材による付勢力を小さくすると、ロール紙が繰り出しローラーから浮
き上がり易くなってしまう。また、ロール径が大きく重い状態であっても、記録紙引張り
力および繰り出し力がロール紙を浮き上げる方向のモーメントとなってロール紙に作用す
ると、ロール紙が浮き上がる可能性が高い。このため、繰り出しローラーを備えたロール
紙供給機構においても、弾性部材によるロール紙の付勢位置を適切に設定しておかないと
、単に、付勢力の大きさのみをロール径に応じて制御しただけでは、ロール紙が繰り出し
ローラーから離れる方向に浮き上がってしまうことを確実に防止できない。
【００１１】
本発明の課題は、このような点に鑑みて、ロール紙の幅方向のガタ付きを除去するため
の付勢部材を適切に配置することにより、ロール紙の浮き上がりを確実に防止できるよう
にしたロール紙供給機構、および当該ロール紙供給機構を備えたロール紙プリンターを提
案することにある。
【課題を解決するための手段】
【００１２】
上記の課題を解決するために、本発明のロール紙供給機構は、
ロール紙を転動可能な状態で収納するロール紙収納部と、
前記ロール紙収納部に収納した前記ロール紙の左右の円形端面のうち、少なくとも一方
の前記円形端面を付勢する付勢面を備えた付勢部材とを有し、
前記付勢部材の前記付勢面は、前記ロール紙から引き出される記録紙の引き出し方向に
向かって前記ロール紙収納部の幅方向の内側に傾斜している傾斜面であり、
当該付勢面は、前記ロール紙収納部の水平方向において、前記ロール紙の重心を通る垂
線と前記ロール紙からの記録紙引き出し位置との間に配置され、かつ、ロール紙収納部の
垂直方向において、前記記録紙引き出し位置よりも上側の前記ロール紙の外周縁部分を付
勢できるように配置されていることを特徴としている。
【００１３】
本発明のロール紙供給機構では、付勢部材の付勢面がロール紙の重心を通る垂線と記録
紙引き出し位置の間に形成されている。したがって、付勢面による付勢位置を中心として
、記録紙の引き出し力がロール紙をロール紙収納部の底に押し付ける方向のモーメントと
して作用し、ロール紙の自重もロール紙を底に押し付ける方向のモーメントとして作用す
る。これらの発生モーメントによってロール紙の浮き上がり、上下方向のガタつきが防止
される。
【００１４】
これに加えて、付勢部材の付勢面は、記録紙引き出し方向に向かって内側に傾斜した傾
斜面としてある。したがって、当該付勢面は、ロール紙の外周縁部分における記録紙引き
出し位置よりも上側の部位に常に接触する。この結果、ロール紙が記録紙引き出し方向に
引かれると、付勢部材の傾斜面（付勢面）によって引き出し方向とは逆方向の拘束力がロ
ール紙に作用する。よって、上記の発生モーメントと、傾斜面（付勢面）による拘束力と
の相乗効果によって、ロール紙の浮き上がり、上下方向のガタツキを確実に防止でき、ロ
ール紙を常に安定した状態に保持することができる。
【００１５】
ここで、前記付勢部材として、前記ロール紙の左右の前記円形端面のそれぞれを付勢す
る左右の付勢部材を配置し、これらの付勢部材をほぼ同一形状とし、ほぼ左右対称な位置
に配置しておくことが望ましい。このようにすれば、ロール紙は両側から付勢部材によっ
て付勢され、安定した状態に保持される。
【００１６】
次に、本発明のロール紙供給機構は、ロール紙収納部にロール紙を繰り出すための繰り
出しローラーが配置されている場合に極めて有効である。この場合には、当該繰り出しロ
ーラーは、ロール紙収納部の水平方向において、前記垂線を挟み、前記記録紙引き出し位
置とは反対側に位置する前記ロール紙の外周面部分に当接するように配置しておけばよい
。このようにすれば、繰り出しローラーによる繰り出し力によって、付勢部材による付勢
位置を中心として、ロール紙を底に押し付ける方向のモーメントが発生する。したがって
、ロール紙がロール紙収納部から浮き上がって繰り出しローラーから離れてしまうことを
確実に防止でき、ロール紙の繰り出し動作を安定して行うことができる。
【００１７】
ここで、付勢部材は、前記ロール紙収納部のロール紙収納幅を規定する一対のロール紙
ガイドに対して、前記幅方向の内側面から内側に突出する状態に取り付けておくことがで
きる。
【００１８】
一方、本発明のロール紙プリンターは、上記構成のロール紙供給機構を備えたことを特
徴としている。ロール紙プリンターにおいては、ロール紙収納部から引き出されて印刷位
置を経由して搬送される記録紙の幅方向の規制が、ロール紙収納部の左右のロール紙ガイ
ドのみによって行われる場合が多い。このような場合には、ロール紙収納部においてロー
ル紙に浮き上がりが生じて安定的に保持されていないと、ここから引き出された記録紙に
蛇行などが生じ、紙詰まり、印刷品質の低下などの弊害を誘発する。本発明によれば、こ
のような弊害を防止できる。
【発明の効果】
【００１９】
本発明でのロール紙供給機構では、ロール紙収納部に収納したロール紙の横方向のガタ
ツキを抑制するための付勢部材の付勢面を、ロール紙引き出し方向に向かってロール紙収
納部の内側に傾斜している傾斜面とし、当該付勢面を、ロール紙の端面における重心を通
る垂線と記録紙引き出し位置の間における当該記録紙引き出し位置よりも上側のロール紙
外周縁部分に付勢するようにしている。このように付勢面の形状および付勢位置を工夫す
ることにより、ロール紙の浮き上がり、上下方向のガタツキを防止することができる。よ
って、ロール紙から繰り出される記録紙が蛇行するなどして、ロール紙プリンターの印刷
品質が低下するなどの弊害を防止できる。
【図面の簡単な説明】
【００２０】
【図１】本発明を適用したロール紙プリンターの概略構成図である。
【図２】図１のロール紙供給機構の一方のロール紙ガイドを示す説明図である。
【図３】図１のロール紙供給機構の他方のロール紙ガイドを示す説明図である。
【図４】付勢部材が両側に配置された例を示す説明図である。
【発明を実施するための形態】
【００２１】
以下に、図面を参照して本発明を適用したロール紙プリンターの実施の形態を説明する
。
【００２２】
（全体構成）
図１は本実施の形態に係るインクジェット式のロール紙プリンターの概略構成図である
。ロール紙プリンター１はロール紙供給機構３を有しており、ここには、長尺状の記録紙
２ａ（図においては太い一線鎖線で示してある。）をロール状に巻き取った構成のロール
紙２が収納される。ロール紙供給機構３に収納されたロール紙２から繰り出される長尺状
の記録紙２ａは、斜め上方に引き出された後に湾曲状のテンションガイド４によって湾曲
させられた後に水平方向に延びている搬送路５（記録紙２ａを示す一線鎖線と同一の経路
）に沿って搬送され、プリンターケース６に形成されている排出口７から排出される。
【００２３】
水平方向に延びている搬送路５の部分はロール紙供給機構３の真上に位置しており、当
該搬送路部分には、インクジェットヘッド８およびプラテン９が一定のギャップで対向配
置されており、プラテン９によってインクジェットヘッド８の印刷位置１０が規定されて
いる。
【００２４】
搬送路５におけるインクジェットヘッド８の上流側には上流側紙送りローラー１１が配
置されており、この上流側紙送りローラー１１は紙送りモーター１２によって回転駆動さ
れる。この上流側紙送りローラー１１には、押えローラー１３が連れ回りするように押し
付けられている。インクジェットヘッド８の下流側には、上流側紙送りローラー１１と同
期して回転する下流側紙送りローラー１４が配置されており、この下流側紙送りローラー
１４には押えローラー１５が連れ回りするように押し付けられている。排出口７の近傍に
はオートカッター１６が配置されており、印刷後の記録紙２ａの先端部分が所定の長さに
幅方向に切断されるようになっている。
【００２５】
テンションガイド４は所定の範囲で移動可能な状態で不図示のプリンターフレームに取
り付けられており、ばね部材１７によって記録紙２ａに張力を与える方向に常に付勢され
ている。これによって、搬送路５に沿って引き出されている記録紙２ａは一定の引張り状
態に保持される。テンションガイド４の近傍にはガイドセンサー１８が配置されており、
記録紙２ａに弛みが発生してテンションガイド４がばね部材１７による付勢方向に移動す
ると、この移動がガイドセンサー１８によって検出されるようになっている。
【００２６】
ロール紙供給機構３は上方に開口したロール紙収納部３１を備えている。ロール紙収納
部３１は、プリンター幅方向に延びている底板３２と、この底板３２の両側に配置されて
いる左右のロール紙ガイド３３、３４を備えている。底板３２には、１本の繰り出しロー
ラー３５と、複数本、本例では３本の第１〜第３ガイドローラー３６、３７、３８とが配
置されている。これらのローラー３５〜３８はプリンター幅方向に架け渡されている。繰
り出しローラー３５は繰り出しモーター３９によって回転駆動される。３本の第１〜第３
ガイドローラー３６〜３８は回転自在の状態で底板３２に取り付けられている。
【００２７】
ここで、ロール紙プリンター１の駆動制御部２１は、不図示のコンピュータシステムな
どの上位機器からの指令に基づき各部の駆動を制御する。印刷動作においては、紙送りモ
ーター１２を駆動して下流側紙送りローラー１４および上流側紙送りローラー１１を回転
駆動すると共に、これに同期させて、ロール紙供給機構３の繰り出しモーター３９を回転
駆動して、記録紙２ａの搬送動作を行う。また、記録紙２ａの搬送に同期させてインクジ
ェットヘッド８を駆動して印刷位置１０を通過する記録紙２ａの表面に印刷を施す。印刷
終了後においては、オートカッター１６を駆動して記録紙２ａを切断する。これにより、
排出口７からは、記録紙２ａを切断することによって得られる一定長さのレシート、チケ
ットなどが発行されることになる。
【００２８】
駆動制御部２１では、ガイドセンサー１８からの検出信号に基づき、記録紙２ａが、弛
みが生ずることなく一定の張力状態で搬送されるように、上流側紙送りローラー１１およ
び下流側紙送りローラー１４に同期させて、ロール紙供給機構３の繰り出しローラー３５
の駆動を制御する。
【００２９】
（ロール紙収納機構）
図２（ａ）はロール紙供給機構３のロール紙ガイド３３の側を示す説明図であり、図２
（ｂ）はそのＢ−Ｂ線で切断した部分を示す説明図である。図３は他方のロール紙ガイド
３４を示す説明図である。
【００３０】
まず、ロール紙収納部３１の一方のロール紙ガイド３４は、図３に示すように、ロール
紙２の一方の円形端面２ｃに対峙する平坦な垂直側面３４ａを備えている。これに対して
、他方のロール紙ガイド３３は、図２に示すように、ロール紙２の他方の円形端面２ｂに
対峙する平坦な垂直側面３３ａと、この垂直側面３３ａに開けた開口部３３ｂからロール
紙２の円形端面２ｂの側に突出している付勢部材４１とを備えている。この付勢部材４１
は、台形状の断面のものであり、ロール紙収納部３１の幅方向、すなわち、ロール紙の円
形端面２ｂに対して接近および離れる方向に移動可能な状態で、ロール紙ガイド３３に取
り付けられている。また、背面側からは不図示のばね部材によって幅方向の内側（ロール
紙の円形端面２ｂの側）に付勢されている。
【００３１】
ロール紙ガイド３３の垂直側面３３ａから突出している付勢部材４１の先端面は、平坦
な細長い長方形の付勢面４１ａ（図２（ａ）において斜線で示す部分）となっている。こ
の付勢面４１ａと、他方のロール紙ガイド３４の垂直側面３４ａとの間隔は、ロール紙２
の幅よりも僅かに狭い寸法とされている。したがって、ロール紙２をロール紙収納部３１
に上から挿入すると、付勢部材４１が僅かに押し込まれ、当該付勢部材４１の付勢面４１
ａと、他方のロール紙ガイド３４の垂直側面３４ａとの間に、ロール紙２がばね力によっ
てガタ付きなく挟まれた状態になる。
【００３２】
（ローラーの位置関係）
図２（ａ）および図３を参照して、繰り出しローラー３５と第１〜第３ガイドローラー
３６〜３８の位置関係を説明する。ロール紙収納部３１に横置きに転動自在の状態で入れ
たロール紙２を、当該ロール紙収納部３１の幅方向から見た場合（ロール紙収納部の水平
方向において）、すなわち、ロール紙２の中心軸線の方向に沿って見た場合に、ロール紙
２の重心Ｇを通る垂線Ｖに対して、記録紙２ａの引き出し側に第１〜第３ガイドローラー
３６〜３８が配置され、反対側に、繰り出しローラー３５が配置されている。繰り出しロ
ーラー３５は矢印３５Ｂの方向に回転駆動され、ロール紙２は、繰り出しローラー３５の
側から第３、第２および第１ガイドローラー３８、３７、３６を順次に経由する方向（矢
印Ｃの方向）に回転しながら、第１ガイドローラー３６との接触位置から記録紙２ａが引
き出される。
【００３３】
このように、繰り出しローラー３５が、ロール紙２の重心Ｇを通る垂線Ｖに対して、記
録紙２ａの引き出し位置とは反対側に配置されている。記録紙２ａを引き出すための引張
り力が作用してロール紙２がガイドローラー３６〜３８のいずれかのガイドローラーから
浮き上がった場合においても、ロール紙２は繰り出しローラー３５に載った状態に保持さ
れ、ロール紙２の自重によるロール紙２と繰り出しローラー３５の間の接触圧が確保され
る。この結果、繰り出しローラー３５によって常にロール紙２を確実に回転させることが
できる。
【００３４】
また、ロール紙２の外径寸法が図において円２（１）で示す最大寸法から円２（２）で
示す中程度の寸法になるまでの間は、最も離れた位置にある繰り出しローラー３５と第１
ガイドローラー３６によってロール紙２が支持され、第２、第３ガイドローラー３７、３
８には接しないようになっている。ロール紙２が円２（２）で示す寸法から更に小さな円
２（３）で示す寸法になるまでの間は、繰り出しローラー３５と第２ガイドローラー３７
によってロール紙２が支持され、第１、第３ガイドローラー３６、３８には接しないよう
になっている。ロール紙２が円２（３）で示す最小径になると、繰り出しローラー３５と
第３ガイドローラー３８によってロール紙２が支持され、第１、第２ガイドローラー３６
、３７には接しないようになっている。したがって、ロール紙２からの記録紙２ａの引き
出し位置Ｄは、ロール径が減少するのに伴って、ロール紙外周面における第１ガイドロー
ラー３６との接触位置３６Ａ、第２ガイドローラー３７との接触位置３７Ａ、および、第
３ガイドローラー３８との接触位置３８Ａの順に切り替わっていく。
【００３５】
このように、ロール紙２はその外径寸法が変化しても、常に、繰り出しローラー３５と
、第１〜第３ガイドローラー３６〜３８のうちの１本のガイドローラーとによって支持さ
れた状態が維持される。したがって、ロール紙２が繰り出しローラー３５から外れてしま
うことがない。よって、ロール紙２の自重によるロール紙２と繰り出しローラー３５の接
触圧が確保され、繰り出しローラー３３によってロール紙２が確実に回転駆動される。ま
た、ロール紙２の外周面がガイドローラー３４〜３６と接することにより、ロール紙収納
部３１の底部と直接接するときに比べ回転負荷変動が小さくなり、さらに付勢部材４１の
付勢面４１ａによる側面圧と共に小さな回転負荷でロール紙２を挟み込むように作用する
ため、ロール紙２が押さえられ、その挙動を抑制することができ、浮き上がりを防止する
効果がある。
【００３６】
（付勢部材の付勢面の形状および位置）
次に、図２（ａ）、（ｂ）を参照して説明すると、付勢面４１ａは先に述べたように細
長い長方形をした面であるが、その長辺方向に沿って上端側がロール紙収納部３１の幅方
向の内側に突出するように傾斜した傾斜平面となっている。したがって、記録紙２ａの引
き出し方向Ａ（記録紙引き出し位置が接触位置３６Ａの場合には方向Ａ１、記録紙引き出
し位置が接触位置３７Ａの場合には方向Ａ２、記録紙引き出し位置が接触位置３８Ａの場
合には方向Ａ３）に沿って見た場合においても、付勢面４１ａは当該引き出し方向Ａに向
かってロール紙収納部３１の幅方向の内側に向けて突出した傾斜面となっている。なお、
付勢面４１ａは平坦な傾斜面としてあるが、凸曲面からなる傾斜面、凹曲面からなる傾斜
面などとしてもよい。
【００３７】
また、付勢部材４１の付勢面４１ａは、ロール紙２の重心Ｇを通る垂線Ｖと、ロール紙
２からの記録紙引き出し位置Ｄ（接触位置３６Ａ、３７Ａ、３８Ａ）との間に位置するよ
うに配置されている。付勢面４１ａは、本例では、これらの間の位置において垂線Ｖに対
して略４５度の傾斜した方向に延びており、記録紙引き出し位置Ｄ（接触位置３６Ａ、３
７Ａ、３８Ａ）よりも上側のロール紙２の外周縁部分を付勢できるように、その長辺方向
の長さ、および配置位置が設定されている。
【００３８】
このように、付勢部材４１の付勢面４１ａを、記録紙引き出し方向Ａに向かって、ロー
ル紙収納部３１の幅方向の内側に向かって傾斜した傾斜面としてあるので、付勢面４１ａ
はロール紙２のロール径の如何に関わりなく、ロール紙２のロール径が最小径２（３）に
なるまでの間、当該ロール紙２の円形端面２ｂの外周縁部分に接触した状態が維持される
。すなわち、図２（ａ）に示すように、ロール紙２の外周縁における、記録紙引き出し位
置Ｄから垂線Ｖに交わる上側の点２ｅまでの範囲内の外周縁部分２ｄに付勢面４１ａが接
触した状態が維持される。
【００３９】
この結果、図２（ｂ）から分かるように、傾斜している付勢面４１ａによって、ロール
紙２に作用する引き出し力に対して、ロール紙２が引き出されない方向に当該ロール紙２
を拘束する拘束力が発生する。よって、ロール紙２が引き出し方向Ａに浮き上がってしま
うことを防止できる。
【００４０】
次に、付勢面４１ａによるロール紙２に対する付勢中心を中心として、ロール紙２の浮
き上がりを防止する方向のモーメントがロール紙２に作用する。まず、ロール紙２は、付
勢面４１ａと反対側の垂直側面３４ａとの間に挟まれるので、付勢面４１ａにおけるロー
ル紙円形端面２ｂとの接触領域の中心（付勢中心）を中心に回転しようとする。ロール紙
２からの記録紙引き出し位置Ｄは、ロール紙２の重心Ｇに対して、付勢中心とは反対側の
ロール紙外周面上に位置している。したがって、記録紙引き出し位置Ｄ（接触位置３６Ａ
、３７Ａ、３８Ａ）に作用する上流側紙送りローラー１１の側からの引き出し力Ｆ１によ
って、付勢中心を中心として、ロール紙２の浮き上がりを防止する方向のモーメントがロ
ール紙２に作用する。
【００４１】
また、ロール紙２の自重によっても、付勢位置を中心として、ロール紙２の浮き上がり
を防止する方向のモーメントがロール紙２に作用する。さらに、繰り出しローラー３５は
付勢中心に対してロール紙重心Ｇと同一の側のロール紙外周面に接しているので、当該繰
り出しローラー３５による繰り出し力Ｆ２によっても、付勢位置を中心として、ロール紙
２の浮き上がりを防止する方向のモーメントがロール紙２に作用する。
【００４２】
このように、本例では、付勢部材４１の傾斜した付勢面４１ａによって、ロール紙２が
引き出し方向Ａに引き出されて浮き上がってしまうことを防止できる。また、ロール紙２
には、付勢面４１ａの付勢中心回りに、浮き上がりを防止する方向に力が作用するので、
ロール紙２の浮き上がりを防止でき、ロール紙２を常に繰り出しローラー３５に接触した
状態に保持できる。
【００４３】
換言すると、付勢力が小さくてもロール紙２の浮き上がりを防止できる。よって、ロー
ル紙２が浮き上がって付勢面４１ａと垂直側面２ｃの間にそのまま保持された状態になら
ないように、付勢部材４１の付勢力を小さくしておくことができる。
【００４４】
以上説明したように、本実施の形態に係るロール紙プリンター１におけるロール紙供給
機構３では、ロール紙２のロール径が変化しても常にロール紙２を繰り出しローラー３５
に接触した状態に維持できる。したがって、ロール紙２の径が変化しても常に安定した繰
り出し力でロール紙２を回転して記録紙２ａを繰り出すことができる。よって、本実施の
形態に係るロール紙プリンター１では、精度良く紙送りを行うことができるので、印刷品
位の低下を招くことなく高速印刷を行うことができる。
【００４５】
（その他の実施の形態）
上記の実施の形態では、ロール紙収納部３１の一方のロール紙ガイド３３に付勢部材４
１を配置したが、双方のロール紙ガイド３３、３４にそれぞれ付勢部材４１を配置しても
よい。この場合には、図４に示すように、双方の付勢部材４１を同一形状のものとし、左
右対称な位置に配置すれば、ロール紙２を両側から確実に挟持でき、ロール紙２の浮き上
がり、上下のガタツキを確実に防止できる。
【００４６】
また、上記の実施の形態では、付勢部材４１の付勢面４１ａを細長い長方形としてある
が、付勢面４１ａの形状は長方形以外の形状であってもよいことは勿論である。
【００４７】
さらに、上記の実施の形態では、左右のロール紙ガイド３３、３４が定まった位置に配
置された固定式ロール紙ガイドであるが、これらの一方あるいは双方を、ロール紙収納部
の幅方向にスライドさせてロール紙収納幅を変更できるように可動式ロール紙ガイドとす
ることもできる。
【００４８】
さらにまた、上記の実施の形態では繰り出しローラー３５によってロール紙収納部３１
に収納されているロール紙２を繰り出し方向に回転させるようにしている。このような繰
り出しローラー３５が備わっていないロール紙供給機構に対しても本発明を同様に適用す
ることができ、この場合においても、ロール紙の浮き上がり、上下方向のガタツキを抑制
して、安定した状態でロール紙を保持することができるという作用効果が得られる。
【符号の説明】
【００４９】
１  ロール紙プリンター、２  ロール紙、２ａ  記録紙、２ｂ，２ｃ  円形端面、２ｄ  
外周縁部分、２ｅ  垂線との交点、３  ロール紙供給機構、４  テンションガイド、５  
搬送路、６  プリンターケース、７  排出口、８  インクジェットヘッド、９  プラテン
、１０  印刷位置、１１  上流側紙送りローラー、１２  紙送りモーター、１３  押えロ
ーラー、１４  下流側紙送りローラー、１５  押えローラー、１６  オートカッター、１
７  ばね部材、１８  ガイドセンサー、２１  駆動制御部、３１  ロール紙収納部、３２
底板、３３，３４  ロール紙ガイド、３５  繰り出しローラー、３６  第１ガイドロー
ラー、３７  第２ガイドローラー、３８  第３ガイドローラー、３６Ａ，３７Ａ，３８Ａ
接触位置、３９  繰り出しモーター、４１  付勢部材、４１ａ  付勢面、Ａ，Ａ１，Ａ
２，Ａ３  記録紙引き出し方向、Ｄ  記録紙引き出し位置、Ｆ１，Ｆ２  引き出し力、Ｇ
重心、Ｖ  垂線
【図１】
2010202306.tif 000003
【図２】
2010202306.tif 000004
【図３】
2010202306.tif 000005
【図４】
2010202306.tif 000006